(57)【要約】【課題】理想的なスイングに矯正できて、筋肉のストレッチも同時に行うことができる矯正具を提供する。【解決手段】２つの把持部と、前記２つの把持部間を間隔調整可能に繋ぐ剛性を有する連結部とを備えたことを特徴とする。前記連結部による前記２つの把持部間の調整可能距離は０ｍｍ〜１００ｍｍの範囲であるのが好ましい。前記連結部としては、テレスコピック構造からなるのが好ましい。あるいは、前記連結部をスタッドボルトから構成し、前記２つの把持部のそれぞれにネジ穴を形成し、前記スタッドボルトの両端を前記ネジ穴に螺合させて前記２つの把持部を連結するのが好ましい。【選択図】図１
2015223385.tif 000002
【特許請求の範囲】
【請求項１】
２つの把持部と、前記２つの把持部間を間隔調整可能に繋ぐ剛性を有する連結部とを備えたことを特徴とするスイング矯正具。
【請求項２】
前記連結部による前記２つの把持部間の調整可能距離が０ｍｍ〜１００ｍｍの範囲である請求項１記載のスイング矯正具。
【請求項３】
前記連結部が、テレスコピック構造からなる請求項１又は２記載のスイング矯正具。
【請求項４】
前記連結部がスタッドボルトからなり、前記２つの把持部のそれぞれに前記スタッドボルトが螺合するネジ穴が形成されている請求項１又は２記載のスイング矯正具。
【請求項５】
前記２つの把持部の少なくとも表面が弾性を有する請求項１〜４のいずれかに記載のスイング矯正具。
【請求項６】
前記２つの把持部のそれぞれが、最大径が４０ｍｍ〜６０ｍｍの範囲の球状体である請求項１〜５のいずれかに記載のスイング矯正具。
【請求項７】
前記２つの把持部のそれぞれの質量が、１００ｇ〜１５０ｇの範囲である請求項１〜６のいずれかに記載のスイング矯正具。
【請求項８】
前記２つの把持部の質量が異なる請求項１〜７のいずれかに記載のスイング矯正具。
【発明の詳細な説明】
【技術分野】
【０００１】
本発明はスイング矯正具に関し、より詳細には、ゴルフスイングの矯正に好適に使用されるスイング矯正具に関するものである。
【背景技術】
【０００２】
例えば、ゴルフスイングでは、アドレスした後、テイクバック、トップ、ダウンスイング、フォロースルー、フィニッシュに至る一連の動作が行われる。ここで、理想的なゴルフスイングは、身体の軸線を中心としてクラブヘッドが同一平面上で円弧（楕円）を描くようなスイングである。
【０００３】
ところが、初心者や未熟なプレーヤーでは、アドレスからテイクバックの途中あるいはトップからダウンスイングの途中、あるいはその両方において、ゴルフクラブが理想軌道から外れ、ボールの飛距離や方向性が安定しない。
【０００４】
そこで、これまでからゴルフスイングを矯正する器具が種々提案されている。例えば、特許文献１では、表側と裏側とを異なる色で塗り分けられた丸棒状の２つの把持部と、２つの把持部の一方端同士をフレキシブルに連結するロープ状の第１連結部と、２つの把持部の他方端同士をフレキシブルに連結するロープ状の第２連結部とを有するゴルフ練習用ハンドルが提案されている。
【先行技術文献】
【特許文献】
【０００５】
【特許文献１】特開2004-24822号公報
【発明の概要】
【発明が解決しようとする課題】
【０００６】
前記提案の練習具は、把持部と把持部とがロープなどの柔軟性のある部材で連結されたものであって、正方形状や平行四辺形状、直線状などに形状が自在に変形するため、使用者は効果が奏されるように練習具を正しく使いこなすには習熟が必要と考えられる。
【０００７】
本発明の目的は、取り扱い簡単で、スイングを理想的なものに矯正することができ、またスイングに使われる筋肉のストレッチも行え、しかも携帯性を備えたスイング矯正部を提供することにある。
【課題を解決するための手段】
【０００８】
前記目的を達成する本発明に係るスイング矯正具は、２つの把持部と、前記２つの把持部間を間隔調整可能に繋ぐ剛性を有する連結部とを備えたことを特徴とする。
【０００９】
ここで、前記連結部による前記２つの把持部間の調整可能距離としては０ｍｍ〜１００ｍｍの範囲であるのが好ましい。
【００１０】
あるいはまた、前記連結部がテレスコピック構造からなる構成としてもよい。
【００１１】
また、前記連結部がスタッドボルトからなり、前記２つの把持部のそれぞれに前記スタッドボルトが螺合するネジ穴が形成されている構成としてもよい、
【００１２】
前記２つの把持部の少なくとも表面が弾性を有するようにしてもよい。
【００１３】
前記２つの把持部のそれぞれは、最大径が４０ｍｍ〜６０ｍｍの範囲の球状体であるのが好ましい。
【００１４】
前記２つの把持部のそれぞれの質量としては、１００ｇ〜１５０ｇの範囲であるのが好ましい。
【００１５】
また、前記２つの把持部の質量は異なっていてもよい。
【発明の効果】
【００１６】
本発明に係るスイング矯正具によれば、簡単な使用方法で理想的なスイングに矯正できる。加えて、スイングをなぞる形で筋肉のストレッチが同時に行える。さらには、携帯が容易で、狭い部屋などでもスイング矯正及びストレッチができる。
【図面の簡単な説明】
【００１７】
【図１】本発明に係るスイング矯正具の一例を示す斜視図である。
【図２】図１のスイング矯正具の断面図である。
【図３】本発明に係るスイング矯正具の他の例を示す斜視図である。
【図４】図３のスイング矯正具の断面図である。
【図５】本発明に係るスイング矯正具を用いた第１使用形態を示す動作図である。
【図６】本発明に係るスイング矯正具を用いた第２使用形態を示す動作図である。
【図７】本発明に係るスイング矯正具を用いた第３使用形態を示す動作図である。
【発明を実施するための形態】
【００１８】
以下、本発明に係るスイング矯正具について図に基づいてより詳細に説明するが、本発明はこれらの実施形態に何ら限定されるものではない。
【００１９】
図１に、本発明に係るスイング矯正具の一実施形態を示す斜視図、図２に、図１のスイング矯正具の断面図をそれぞれ示す。これらの図に示すスイング矯正具は、２つの球状の把持ボール１，２と、把持ボール１と把持ボール２とを繋ぐ連結部３とを備える。
【００２０】
把持ボール１，２は、左右のそれぞれの手によって把持されたときに、把持ボール表面の７割〜９割が覆われる程度の大きさであるのが好ましい。例えば、把持部３が把持ボールのような球状体である場合、その最大径Ｄ（図２に図示）は、通常、４０ｍｍ〜１００ｍｍの範囲とするのが好ましい。
【００２１】
また、把持ボール１，２の質量に特に限定はないが、ストレッチ効果や携帯性の向上などの観点からは把持ボール１個当たり１００ｇ〜１５０ｇの範囲であるのが好ましい。なお、２つの把持ボール１，２は、必ずしも同じ質量である必要はなく、使用形態によっては、２つの把持ボール１，２の質量を異なるようにしてもよい。例えば、図７に示すような、本発明のスイング矯正具を用いてスイング練習をする場合に、身体から遠い側の把持ボール２の質量を身体に近い側の把持ボール１の質量よりも重くすることによって、スイングをする際に生じる遠心力が大きくする。これにより、スイング中に腕が伸びやすくなり、ストレッチ効果も高まる。
【００２２】
なお、把持ボール１，２は、連結部３に対して着脱としてもよく、練習形態によって把持ボールを取り替えるようにしてもよい。
【００２３】
把持部の形状に特に限定はなく、球状体の他、従来公知の形状を採用することができるが、握りやすさや意匠性などの観点からは球状体であるのが好ましい。また、握りやすさや握ったときの感触をさらに向上させるために、把持ボール１，２の少なくとも表面が弾性を有するようにしてもよい。例えば、把持ボール１，２を同心円状の積層構造とし、最外層を軟質ウレタンフォームなどの低反発で弾性を有する層としてもよい。このような低反発弾性層を設けた把持ボール１，２を、日常習慣的に把持するようにすると、握力の向上という副次的効果が期待できる。
【００２４】
連結部３は、第１筒状部３１に、第１筒状部３１の内径よりも外径の小さい第２筒状部３２が嵌め入れられたテレスコピック構造を有し、第１筒状部３１に対して第２筒状部３２を出入させることによって、把持ボール１と把持ボール２との間隔Ｌ（図２に図示）が調整される。把持ボール１と把持ボール２との間隔Ｌは、後述するように、本発明のスイング矯正具の使用形態によって適宜調整すればよいが、通常、０ｍｍ〜１００ｍｍの範囲で調整可能であるのが望ましい。なお、本実施形態では、連結部３を、第１筒状部３１と第２筒状部３２とからなる２段のテレスコピック構造としているが、３つ以上の筒状部を組み合わせて３段以上のテレスコピック構造としてももちろん構わない。また、テレスコピック構造に用いる筒状部の断面形状は、円形に限定されるものではなく、多角形や楕円などであっても構わない。
【００２５】
図３及び図４に、本発明に係るスイング矯正具の他の実施形態を示す。図３は、スイング矯正具の斜視図であり、図４は断面図である。なお、前記実施形態と同じ部材については同じ符号を付し、その説明を省略する。
【００２６】
これらの図に示すスイング矯正具が前記実施形態のものと異なる点は連結部である。本実施形態の連結部はスタッドボルト４からなる。このスタッドボルト４は、軸方向中央部の、ねじ山の形成されていない緩衝部４１を境としてそれぞれ両側に、方向の異なる雄ネジが螺刻されている。一方、２つの把持ボール１，２のそれぞれには、スタッドボルト４が螺合するネジ穴１１，２１が形成されている。スタッドボルト４の両端をこれらのネジ穴１１，２１に螺合させることによって、２つの把持ボール１，２はスタッドボルト４で連結される。
【００２７】
２つの把持ボール１，２間の間隔Ｌは、把持ボール１，２をスタッドボルト４に対して正回転又は逆回転させることによって調整する。把持ボール１，２のネジ穴１１，２１の入り口の周縁には、スタッドボルト４の緩衝部４１を収納可能な周状の段差部１２，２２が形成されており、スタッドボルト４の雄ネジをすべて把持ボール１，２のネジ穴１１，２１に螺入すると、スタッドボルト４の緩衝部４１は把持ボール１，２の段差部１２，２２に収納され、把持ボール１，２間の間隔Ｌをゼロとすることができる。
【００２８】
なお、段差部は、一方の把持ボールにのみ形成してもよい。この場合、段差部の段差はスタッドボルト４の緩衝部４１の軸方向長さ以上とする。
【００２９】
また、スタッドボルト４として、緩衝部４１のない、軸方向の全体に雄ネジが螺刻されているものを用いてもよい。この場合、把持ボール１，２のネジ穴１１，２１の入り口の周縁に段差部を設けることなく、把持ボール１，２間の間隔Ｌをゼロにできる。
【００３０】
以下、本発明のスイング矯正具の使用形態について、ゴルフスイングを矯正する場合を例に説明する。
【００３１】
（第１使用形態）
図５に、本発明に係るスイング矯正具の第１使用形態を示す。この使用形態は、ゴルフスイングの矯正及びストレッチを行うものである。図５（ａ）の拡大図に示すように、まず、スイング矯正具の２つの把持ボールを、左右の手の親指が平行で且つ親指の爪が上向きになるように握る。このとき、左右の親指ができるだけ接近するよう把持ボール間の間隔Ｌを調整することが推奨される。そして、ゴルフのアドレス姿勢をとる。
【００３２】
次に、両手の親指の爪が上向きの状態で、且つ両腕の略平行状態を維持しながら、身体の中心を軸に身体を後方に回転させる。このような状態を維持しながら身体を回転させると、必然的に肩が回転することになり理想的なスイング形態となる。そして、身体を後方に約９０度回転させる（図５（ｂ））。このとき、左右の親指の爪が水平状態となっていることが重要である。この状態をしばらく維持することで背筋などスイングに関連する筋肉のストレッチがなされる。身体の柔軟性が高い人は、身体をさらに回転させてもよいが、通常はこの状態よりも身体を回転させる必要はない（通常、身体的に回転できない）。
【００３３】
続いて、図５（ｂ）に示す状態から、図５（ａ）に示す状態に戻し、そのまま連続して身体の中心を軸に身体を前方に約９０度回転させる（図５（ｃ））。この動作中、親指の爪が上向きの状態であることを意識する。図５（ｃ）の状態でも、左右の親指の爪が水平状態となっていることが重要である。そして、この状態をしばらく維持する。これにより、前記と同様に。背筋などスイングに関連する筋肉のストレッチがなされる。
【００３４】
図５（ａ）〜（ｃ）の動作を繰り返し行うことで、ストレッチがなされると同時に理想的なスイングが身体（脳）に記憶される。なお、これらの動作を行う際に、身体の重心移動を合わせて行うようにすれば、実際のスイング状態に近くなってより高い効果が奏される。
【００３５】
（第２使用形態）
図６に、本発明に係るスイング矯正具の第２使用形態を示す。この使用形態は、第１使用形態と同様に、ゴルフスイングの矯正及びストレッチを行うものである。図６（ａ）の拡大図に示すように、まず、スイング矯正具の２つの把持ボールのそれぞれを、左右の手でゴルフクラブを持つように握る。そして、左右の腕と肩で形成され三角形の仮想面に対して、スイング矯正具の連結部が垂直となるように構える。なお、把持ボール間の間隔Ｌは、第１の使用形態のときよりも長くして、左右の手で把持ボールを握れるようにする。
【００３６】
次に、左右の腕と肩で形成され三角形の仮想面に対して、スイング矯正具の連結部が垂直である状態を維持するように、身体の中心を軸に身体を後方に約９０度回転させる（図６（ｂ））。この状態をしばらく維持することで、前記使用形態と同様に、背筋などスイングに関連する筋肉のストレッチがなされる。身体の柔軟性が高い人は、身体をさらに回転させてもよいが、通常はこの状態よりも身体を回転させる必要はない（通常、身体的に回転できない）。
【００３７】
続いて、図６（ｂ）に示す状態から、図６（ａ）に示す状態に戻し、そのまま連続して身体の中心を軸に身体を前方に約９０度回転させる（図６（ｃ））。この動作中も、左右の腕と肩で形成され三角形の仮想面に対して、スイング矯正具の連結部が垂直であることを意識する。図６（ｃ）の状態をしばらく維持する。これにより、前記と同様に。背筋などスイングに関連する筋肉のストレッチがなされる。
【００３８】
図６（ａ）〜（ｃ）の動作を繰り返し行うことで、第１使用形態とは異なる筋肉もストレッチされる。また同時に、第１使用形態と同様に、理想的なスイングが身体に記憶される。そして、これらの動作を行う際に、身体の重心移動を合わせて行うようにすれば、実際のスイング状態に近くなってより高い効果が奏される。
【００３９】
以上、説明した第１使用形態及び第２使用形態は、どちらか一方だけを行うことによってもストレッチ及び理想スイングの身体への記憶はなされるが、双方を行う方が相乗的効果が期待されるので望ましい。その場合、第１使用形態と第２使用形態の実施順序はいずれが先でも構わない。より好ましくは、第１使用形態と第２使用形態とを交互に繰り返し実施することである。
【００４０】
（第３使用形態）
図７に、本発明に係るスイング矯正具の第３使用形態を示す。この使用形態は、第１使用形態及び第２使用形態によって身体（脳）に記憶させた理想的なゴルフスイングを確認する場合などに実施する。図７（ａ）の拡大図に示すように、スイング矯正具をゴルフクラブのグリップに見立てて、把持ボール２が露出するように、把持ボール１及び連結部３を左右の手で握る。このとき、把持ボール間の間隔Ｌは、できるだけ長くしておくことが推奨される。そして、ゴルフのアドレス姿勢をとる。次に、通常のゴルフスイングと同様に、テイクバックからトップの姿勢とし（図７（ｂ））、ダウンスイング、フォロースルー（図７（ｃ））、フィニッシュに至る一連の動作を行う。
【００４１】
この第３使用形態は、身体の軸線を中心としてクラブヘッドが同一平面上で円弧（楕円）を描くような理想的なスイングになっているかを確認するための使用形態であって、スイングの矯正やストレッチを主たる目的とするものではない。
【００４２】
第３使用形態においては、２つの把持ボールの質量を異なるようにするのが好ましい。そして、重い方の把持ボールを露出する側、すなわち身体から遠い側となるように、スイング矯正具を把持しスイングする。重い方の把持ボールを身体から遠い側とすることによって、スイングする際に生じる遠心力が大きくなり、スイング中に腕が伸びやすくなるからである。
【００４３】
以上、ゴルフスイングを例に本発明のスイング矯正具の使用形態を説明したが、本発明のスイング矯正具は他のスポーツのスイングの矯正及びストレッチにも使用できる。すなわち、どのようなスイングであっても、理想的なスイングは、ゴルフクラブやバットなどの用具と腕とが、身体の軸線を中心として同一平面上で円弧（楕円）を描くようなスイングであり、スポーツによって前記平面と地面との成す角度が異なるだけである。
【産業上の利用可能性】
【００４４】
本発明に係るスイング矯正具によれば、簡単な使用方法で理想的なスイングに矯正できる。加えて、筋肉のストレッチも同時に行うことができ有用である。
【符号の説明】
【００４５】
１    把持ボール（把持部）
２    把持ボール（把持部）
３    連結部
４    スタッドボルト（連結部）
３１    第１筒状部
３２    第２筒状部
【図１】
2015223385.tif 000003
【図２】
2015223385.tif 000004
【図３】
2015223385.tif 000005
【図４】
2015223385.tif 000006
【図５】
2015223385.tif 000007
【図６】
2015223385.tif 000008
【図７】
2015223385.tif 000009